(57)【要約】【課題】基地局の送信タイミングを特定した後は、間欠受信をすることによって移動通信端末の低消費電力化を図る。【解決手段】無線基地局から送信された信号を受信する受信部を備え、接続相手となる無線基地局を切り替えながら、前記無線基地局との間で通信チャネルを設定して通信を行う無線通信装置において、複数の前記無線基地局からの信号の送信タイミングが同期している場合に、前記受信部は、前記無線基地局から送信されるスロット番号を受信した後は、該スロット番号から特定される無線基地局からの信号の送信タイミングに合わせて受信動作をして、他の無線基地局を検索する。【選択図】  図３
2004304554.tif 000002
【特許請求の範囲】
【請求項１】
無線基地局から送信された信号を受信する受信部を備え、接続相手となる無線基地局を切り替えながら、前記無線基地局との間で通信チャンネルを設定して通信を行う無線通信装置において、
複数の前記無線基地局からの信号の送信タイミングが同期している場合に、前記受信部は、前記無線基地局から送信されるスロット番号を受信した後は、該スロット番号から特定される無線基地局からの信号の送信タイミングに合わせて受信動作をして、他の無線基地局を検索することを特徴とする無線通信装置。
【請求項２】
無線基地局から送信された信号を受信する受信部を備え、接続相手となる無線基地局を切り替えながら、前記無線基地局との間で通信チャンネルを設定して通信を行う無線通信装置において、
複数の前記無線基地局からの信号の送信タイミングが同期している場合に、前記受信部は、前記無線基地局から送信される送信フレームの最も大きいスロット番号と最も小さいスロット番号を受信した後は、これらのスロット番号から特定される無線基地局からの信号の送信タイミングに合わせて受信動作をして、他の無線基地局を検索することを特徴とする無線通信装置。
【請求項３】
接続相手となる無線基地局を切り替えるハンドオーバの際、または待受け開始時に前記受信部の受信動作が行われることを特徴とする請求項１又は２に記載の無線通信装置。
【発明の詳細な説明】
【０００１】
【発明が属する技術分野】
本発明は、移動通信端末に関し、電源投入時等に基地局検索時の消費電力を低減することができる移動通信端末に関する。
【０００２】
【従来の技術】
従来、移動通信端末が通信相手の基地局を検索するときには、基地局から送信される信号のタイミングに関わらず、基地局を検索していた。
【０００３】
また、第１のタイムスロットにより基地局と通信中に、基地局の受信電界レベルが低下すると、切替先基地局を検索して、選択された基地局との制御チャンネル及び通信チャンネルの確立処理を行った後、切替前の基地局との通信を停止することによって、ハンドオーバに伴う通話の途切れ、または切替先基地局での呼接続失敗による呼損失を防ぐチャンネル切替処理方式が提案されている。
【０００４】
【特許文献１】
特開平１１−２９８９４２号公報
【０００５】
【発明が解決しようとする課題】
しかし、時分割多重通信（ＴＤＭＡ）方式で、基地局のＴＤＭＡフレームが同期して基地局から信号が送信されているシステムにおいては、基地局が信号を送信しないタイミングも存在する。しかし、従来の技術においては、基地局からの信号を受信し、基地局からの信号の送信タイミングが特定できても、移動通信端末は所定の検索時間が経過するまでの間、受信部を動作させて、連続的に基地局からの信号を受信していた。よって、本来受信の必要ないタイミングにも受信部を動作させていたため、不要な電力を消費していた。
【０００６】
本発明は、基地局の送信タイミングを特定した後は、間欠受信をすることによって移動通信端末の低消費電力化を図ることを目的とする。
【０００７】
【課題を解決するための手段】
第１の発明は、無線基地局から送信された信号を受信する受信部を備え、接続相手となる無線基地局を切り替えながら、前記無線基地局との間で通信チャンネルを設定して通信を行う無線通信装置において、
複数の前記無線基地局からの信号の送信タイミングが同期している場合に、前記受信部は、前記無線基地局から送信されるスロット番号を受信した後は、該スロット番号から特定される無線基地局からの信号の送信タイミングに合わせて受信動作をして、他の無線基地局を検索する。
【０００８】
第２の発明は、無線基地局から送信された信号を受信する受信部を備え、接続相手となる無線基地局を切り替えながら、前記無線基地局との間で通信チャンネルを設定して通信を行う無線通信装置において、
複数の前記無線基地局からの信号の送信タイミングが同期している場合に、前記受信部は、前記無線基地局から送信される送信フレームの最も小さいスロット番号と最も大きいスロット番号を受信した後は、これらのスロット番号から特定される無線基地局からの信号の送信タイミングに合わせて受信動作をして、他の無線基地局を検索する。
【０００９】
第３の発明は、第１又は第２の発明において、接続相手となる無線基地局を切り替えるハンドオーバの際、または待受け開始時に前記受信部の受信動作が行われる。
【００１０】
【発明の実施の形態】
次に、本発明の実施の形態について図面を参照して説明する。
【００１１】
図１は、本発明の実施の形態の無線通信システムの構成図である。
【００１２】
複数設置された基地局装置２００は、互いに同期したタイミングで送受信を繰り返して、各無線通信ゾーン内の無線通信装置としての移動通信端末１００（例えば、ＰＨＳ端末機）と無線通信を行う。すなわち、基地局装置２００のＴＤＭＡフレームは同期しており、同一のタイミングで送信動作をしている。
【００１３】
基地局装置２００は、交換機３００に接続されており、交換機３００を介して他の通信網に接続されている。そして、移動通信端末１００は、基地局装置２００、交換機３００を介して他の通信網に接続されている通信端末装置と通信をする。このように交換機３００によって複数の基地局装置２００が接続されて移動体通信網を構成している。
【００１４】
図２は、本実施の形態の移動通信端末１００（ＰＨＳ端末機）の主要な構成を示すブロック図である。
【００１５】
アンテナ１は送受信部２に接続されており、基地局装置２００からの電波（下りの信号）を受信し、基地局装置２００に対し電波（上りの信号）を送信する。送受信部２は送信部及び受信部により構成され、送信部はアンテナ１から送信する高周波信号を生成する。受信部はアンテナ１で受信した高周波信号を増幅、周波数変換等をして、ベースバンド信号としてＲＦ制御部３に出力する。
【００１６】
ＲＦ制御部３はベースバンド部及び無線制御部により構成されており、ベースバンド部は、コーデック部によって、ベースバンド信号を音声信号に復調する。また、コーデック部では音声信号を変調し、ベースバンド信号を生成する。さらに、無線制御部によって、送受信部２が送受信する周波数や、送受信タイミング、送信する電波の出力を制御する。
【００１７】
また、制御部４は、主にＣＰＵにて構成されており、ＲＡＭ５及びＲＯＭ６に記憶されたデータに基づいて、送受信部２、操作部７、表示インターフェース８、表示部９等の移動通信端末１００の各部を制御する。操作部７は、文字、数字の入力、移動通信端末１００への動作の指示を受け付ける。表示インターフェース８は、制御部４からの表示データを受け、表示部９を駆動するドライバ回路である。
【００１８】
表示部９は、表示インターフェース８に駆動され、文字情報、移動通信端末の動作状態等を表示する液晶表示パネルと、液晶表示パネルを照明するバックライトとによって構成され、通信により送られてきた文字情報や、操作に関する情報として操作メニュー、入力項目や、キー入力のエコーバック、移動通信端末の状態（電波強度、電池残量、時刻など）などを表示する。
【００１９】
さらに、移動通信端末には、音響信号を電気信号に変換する送話部（図示省略）、電気信号を音響信号に変換する受話部（図示省略）を有している。
【００２０】
図３は、本発明の実施の形態の基地局検索処理のフローチャートである。
【００２１】
まず、移動通信端末は連続受信動作を開始する（Ｓ１０１）。この連続受信動作は、移動通信端末が待ち受け開始時や、ハンドオーバの際（現在通信中の基地局の受信状態が悪化し、他の基地局を検索する必要が生じたとき）に実行される。
【００２２】
待ち受け開始時とは、（イ）電源が投入されたとき、（ロ）圏外から圏内に移ったとき、（ハ）通話が終了して再度待ち受けを開始するときの状態をいう。特に、移動通信端末に電源が投入されたとき、又は、移動通信端末が圏外から圏内に移ったときに、移動通信端末は基地局が送信タイミングであるか受信タイミングであるかが分からないので、これらの最初の受信タイミングおよび送信タイミングの期間は連続受信処理が必要となる。
【００２３】
そして、制御チャンネルを受信したか否かを判定する（Ｓ１０２）。この制御チャンネルは、基地局から所定の間隔（例えば、ＰＨＳでは１００ミリ秒毎）で送信されており、移動通信端末の連続受信により制御チャンネルを受信することができる。制御チャンネルには幾つか種類があるが、その中で「スロット番号」を含む制御チャンネルがある。ＰＨＳでは報知チャンネル（ＢＣＣＨ）に「スロット番号」が含まれており、ＢＣＣＨかどうかは受信データのチャンネル識別子（ＣＩ）により判定することができる。ＢＣＣＨにより「スロット番号」がわかれば、その受信が基地局の送信フレーム中のどのスロットで送信されたかがわかるので、基地局の送信タイミングを認識できる。
【００２４】
そして、ステップＳ１０２において制御チャンネルを受信していないと判定したら、所定の検索時間が終了しているか否かを判定する（Ｓ１０７）。所定の検索時間が終了していなければ、ステップＳ１０２に戻り、引き続き制御チャンネルを検索する。一方、所定の検索時間が終了していれば、基地局が検出できなかったものと判定して、この基地局検索処理を終了する。
【００２５】
そして、ステップＳ１０２において、制御チャンネルを受信しているかどうかを判定し、受信しているときにはステップＳ１０３の処理が行われる。また、受信していないときにはＳ１０７の処理が行われる。
【００２６】
ステップＳ１０３において、受信した制御チャンネルにスロット番号が含まれているかどうかを判定し、受信した制御チャンネルにスロット番号が含まれていないと判定したら、送信フレームの最も小さいスロット番号と最も大きいスロット番号を受信できたかを判定する（Ｓ１０６）。
【００２７】
送信フレームの最も小さい番号のスロットと、最も大きいスロットで受信できた場合、例えばＴＤＭＡ多重数が４である場合、図４のに示される制御チャンネル（ａ）を受信した後に、その受信タイミングから“１スロット時間×３“後のタイミングにおいて、図４で示される制御チャンネル（ｂ）を受信できたとする。この場合、制御チャンネル（ａ）がスロット番号が１を示しており、制御チャンネル（ｂ）がスロット番号が４を示すことになる。これにより、基地局の送信タイミングを認識することができる。これらの（ａ）又は（ｂ）は図４中に色彩を付して示されている。ここで、スロット番号とは、図４で示されているようにＴＤＭＡフレームにおけるスロットにおいて時間軸上で早いスロットから順に番号が付与されている。
【００２８】
送信フレームの最も小さいスロット番号と最も大きいスロット番号を受信していなければ、所定の検索時間が終了しているか否かを判定する（Ｓ１０７）。所定の検索時間が終了していなければ、ステップＳ１０２に戻り、引き続き制御チャンネルを検索する。一方、所定の検索時間が終了していれば、基地局が検出できなかったものと判定して、この基地局検索処理を終了する。
【００２９】
そして、前述のステップＳ１０３またはステップＳ１０６において認識されたスロット番号に基づいて受信タイミングを決定し、必要とされる受信タイミングのみ受信動作をする（Ｓ１０４）。これにより、連続受信中、基地局が送信していない期間において受信動作を間引くことができ、消費電力の低減を図ることができる。
【００３０】
そして、所定の検索時間が終了するまで待機して（Ｓ１０５）、この基地局検索処理を終了する。
【００３１】
図４は、本発明の実施の形態の受信動作のタイミング図である。
【００３２】
無線基地局は、所定のタイミングで送信と受信を繰り返して、四つの送信スロットの後、四つの受信スロットが、その後に四つの送信スロットとなるように送受信タイミングが定まっている。
【００３３】
まず、移動通信端末は、受信開始時には、基地局の送信タイミングが分からないことから、連続した受信動作を行う。そして、連続受信によって受信した受信スロットに含まれる情報に基地局の送受信タイミングを特定可能な情報が含まれていたならば、移動通信端末の受信スロット（基地局の送信スロット）の終了時に連続受信を停止し、基地局の送信スロットに対応したタイミングのみで基地局からの信号を受信する間欠受信を開始する。
【００３４】
【発明の効果】
本発明によれば、基地局からの信号が送信されないタイミングは移動通信端末は受信動作をする必要がないため、基地局からの信号が送信されないタイミングを特定することによって、受信が必要のないタイミングにおいて受信部を停止させることができ、移動通信端末の消費電力の低減を図ることができる。
【図面の簡単な説明】
【図１】本発明の実施の形態の移動通信端末が動作する移動通信システムの構成図である。
【図２】本発明の実施の形態の移動通信端末の構成を示すブロック図である。
【図３】本発明の実施の形態の移動通信端末の基地局検索処理のフローチャートである。図である。
【図４】本発明の実施の形態の受信動作のタイミング図である。
【符号の説明】
１    アンテナ
２    送受信部
３    ＲＦ制御部
４    制御部
５    ＲＡＭ
６    ＲＯＭ
７    操作部（キーボード）
８    表示インターフェース
９    表示部
【図１】
2004304554.tif 000003
【図２】
2004304554.tif 000004
【図３】
2004304554.tif 000005
【図４】
2004304554.tif 000006